(57)【要約】【課題】外扉に機器を取り付けるための開口部を必要とすることなく、読み取り端末等の機器を取り付けることのできる自動販売機を提供する。【解決手段】読み取り端末６０を開口部４０ａに着脱可能に設けたので、外扉２０に読み取り端末を取り付けるための開口部を別途開口することなく、読み取り端末６０を外扉２０に取り付けることができ、外扉２０の汎用性を高めることが可能となる。また、パネル展示部４０用の開口部４０ａに着脱可能に設けられ、パネル３１を展示するための開口部４４ａ及び読み取り端末６０を取り付けるための開口部４４ｂを有する枠４４を備えたので、開口部４０ａにパネル３１を展示すると共に読み取り端末６０を取り付けることができ、開口部４０ａに読み取り端末６０を取り付けた状態でも広告の展示が可能となる。【選択図】図５
2008310494.tif 000002
【特許請求の範囲】
【請求項１】
自動販売機本体の前面を開閉するように設けられ、広告等のパネルを展示するためのパネル展示部を有する外扉を備えた自動販売機において、
前記外扉に設けられたパネル展示部用の開口部に、商品の販売に関する機器を着脱可能に設けた
ことを特徴とする自動販売機。
【請求項２】
前記パネル展示部用の開口部に着脱可能に設けられ、パネル展示用の開口部及び機器取付用の開口部を有する枠を備えた
ことを特徴とする請求項１記載の自動販売機。
【請求項３】
前記外扉の背面側からパネル展示部の背面側を開閉する展示部用扉を備え、
展示部用扉を、パネル展示部用の開口部に取り付けられる機器の背面側を覆う形状に形成した
ことを特徴とする請求項１または２記載の自動販売機。
【請求項４】
前記展示部用扉を、パネル展示部用の開口部に取り付けられる機器の背面側を開閉する機器用扉と、それ以外のパネル展示部の背面側を開閉するパネル用扉とから構成した
ことを特徴とする請求項３記載の自動販売機。
【請求項５】
前記パネル展示部に隣接する外扉の背面側に設けられた紙幣及び硬貨等の金銭の処理を行う機器と、
金銭の処理を行う機器の背面側を開閉するように回転自在に支持された保護扉とを備え、
機器用扉を、保護扉を回転自在に支持する支軸によって回転自在に支持した
ことを特徴とする請求項４記載の自動販売機。
【発明の詳細な説明】
【技術分野】
【０００１】
本発明は、自動販売機本体の前面を開閉するように設けられ、広告等のパネルを展示するためのパネル展示部を有する外扉を備えた自動販売機に関するものである。
【背景技術】
【０００２】
従来、この種の自動販売機としては、自動販売機本体の前面を開閉するように設けられ、広告等のパネルを展示するためのパネル展示部を有する外扉を備えたものが知られている（例えば、特許文献１参照）。
【特許文献１】特開平１１−０８６１１０号公報
【発明の開示】
【発明が解決しようとする課題】
【０００３】
前記自動販売機では、外扉に商品の販売に関する機器が設けられているが、例えば電子マネー機能を有するＩＣカードによって決済を行うための読み取り端末等の機器を別途外扉に取り付ける場合がある。この場合には、外扉に取り付ける機器専用の開口部を外扉に設け、その開口部に機器を取り付けるようになっており、読み取り端末等の機器を取り付けるか否かの仕様によって異なる外扉が必要となるため汎用性が低い。
【０００４】
本発明の目的とするところは、外扉に機器を取り付けるための開口部を必要とすることなく、読み取り端末等の機器を取り付けることのできる自動販売機を提供することにある。
【課題を解決するための手段】
【０００５】
本発明は前記目的を達成するために、自動販売機本体の前面を開閉するように設けられ、広告等のパネルを展示するためのパネル展示部を有する外扉を備えた自動販売機において、前記外扉に設けられたパネル展示部用の開口部に、商品の販売に関する機器を着脱可能に設けている。
【０００６】
これにより、パネル展示部用の開口部に機器が取り付けられることから、外扉に機器取り付け用の開口部を別途必要とすることなく、機器が外扉に取り付けられる。
【発明の効果】
【０００７】
本発明によれば、外扉に機器取り付け用の開口部を別途必要とすることなく、機器を外扉に取り付けることができるので、外扉の汎用性を高めることが可能となる。
【発明を実施するための最良の形態】
【０００８】
図１乃至図５は本発明の一実施形態を示すもので、図１は自動販売機の全体斜視図、図２は外扉を開放した状態を示す自動販売機の全体斜視図、図３はパネル展示部を示す外扉の要部側面断面図、図４は外扉の平面断面図、図５は読み取り端末を取り付けた状態を示す外扉の平面断面図である。
【０００９】
この自動販売機は、前面に開口部を有する自動販売機本体１０と、幅方向一端側が自動販売機本体１０の前面側の幅方向一端側に回転自在に連結され、自動販売機本体１０の開口部を開閉する外扉２０とを備えている。
【００１０】
外扉２０の上部側には、自動販売機本体１０内に収納される販売商品の商品サンプルを展示するためのサンプル展示部２１が設けられ、サンプル展示部２１の前面に商品選択スイッチ２２が設けられている。また、外扉２０のサンプル展示部２１の下方には、硬貨投入口２３、紙幣投入口２４、表示パネル２５、返却レバー２６及び外扉２０を開閉するためのハンドル２７が幅方向一方側に設けられ、販売商品の広告等が表示されたパネル３０を展示するためのパネル展示部４０が幅方向他方側に設けられている。更に、外扉２０の下部側には、硬貨返却口２８及び商品取出口２９が設けられている。
【００１１】
パネル展示部４０は、外扉２０のサンプル展示部２１の下方に設けられたパネル展示部４０用の開口部４０ａを背面側から閉鎖する合成樹脂等からなる透明板４１と、パネル展示部４０を外扉２０の背面側から開閉するためのパネル展示部用扉４２とを有し、透明板４１とパネル展示部用扉４２との間に広告用のパネル３０を配置することにより、広告用のパネル３０が展示されるようになっている。
【００１２】
透明板４１は、外扉２０のパネル展示部４０用の開口部４０ａよりも幅方向及び上下方向にやや大きく形成されており、外扉２０の背面側に取付部材４１ａによって取り付けられている。
【００１３】
パネル展示部用扉４２は、外扉２０に対して着脱自在に設けられたパネル用扉としての第１の扉４２ａと、外扉２０の背面側に回転自在に支持された機器用扉としての第２の扉４２ｂとからなり、互いに幅方向に並べた状態でそれぞれパネル展示部４０の背面側を開閉するようになっている。
【００１４】
第１の扉４２ａは、下端側を開口部４０ａの下方の背面側に設けられた溝４０ｂに係合させ、上端側をツマミネジ４３によって開口部４０ａの上方の背面側に取り付けることにより、パネル展示部４０の背面側を閉鎖するようになっている。
【００１５】
第２の扉４２ｂは、幅方向一方が外扉２０に回転自在に支持されており、幅方向他方が第１の扉４２ａに係合することにより、パネル展示部４０の背面側を閉鎖するようになっている。また、第２の扉４２ｂは、後述する読み取り端末を収納可能なように箱状に形成されている。
【００１６】
外扉２０の硬貨投入口２３及び紙幣投入口２４の背面側にはそれぞれ硬貨識別装置２３ａ及び紙幣識別装置２４ａが設けられ、硬貨識別装置２３ａ及び紙幣識別装置２４ａの背面側には金銭の盗難を防止するための保護扉５０が外扉２０の背面側に回転自在に支持されている。第２の扉４２ｂは、保護扉５０を回転自在に支持する支軸５１に回転自在に支持されている。
【００１７】
また、この自動販売機は、電子マネー機能を有するＩＣカードによって決済を行うための読み取り端末６０をパネル展示部４０に取り付けることが可能となっている。
【００１８】
読み取り端末６０を取り付けられた場合のパネル展示部４０は、開口部４０ａにパネル３１及び読み取り端末６０を取り付けるための枠４４と、枠４４に設けられたパネル展示用の開口部４４ａを背面側から閉鎖する合成樹脂等からなる透明板４５と、前述の第１及び第２の扉４２ａ，４２ｂとを有している。
【００１９】
枠４４は、開口部４０ａを外扉２０の背面側から閉鎖可能な金属板にパネル展示用の開口部４４ａ及び読み取り端末６０を取り付けるための開口部４４ｂが設けられたものであり、外扉２０に図示しないネジによって着脱可能に取り付けられている。
【００２０】
透明板４５は、枠４４の開口部４４ａよりも幅方向及び上下方向にやや大きく形成されており、枠４４の背面側に取付部材４５ａによって取り付けられている。
【００２１】
以上のように構成された自動販売機において、通常はパネル展示部４０が広告用のパネル３０の表示のみに利用されるようになっている。この場合、パネル３０は、透明板４１と第１の扉４２ａ及び第２の扉４２ｂとの間に取り付けられ、主に第１の扉４２ａによって保持される。
【００２２】
また、この自動販売機にＩＣカードによる決済の機能を付加する場合には、第２の扉４２ｂを開放すると共に第１の扉４２ａを外扉２０から取り外して開口部４０ａから透明板４１を取り外し、透明板４５及び読み取り端末６０が取り付けられた枠４４を開口部４０ａに取り付け、第１の扉４２ａを外扉２０に取り付ける。このとき、読み取り端末６０は、第２の扉４２ｂの前面に位置しており、枠４４と第２の扉４２ｂの間に収納された状態となる。読み取り端末６０の修理及び点検等の作業は、第２の扉４２ｂのみを開放することにより行われる。また、パネル３１は、透明板４５と第１の扉４２ａとの間に取り付けられる。
【００２３】
このように、本実施形態の自動販売機によれば、読み取り端末６０を開口部４０ａに着脱可能に設けたので、外扉２０に読み取り端末６０を取り付けるための開口部を別途開口することなく、読み取り端末６０を外扉２０に取り付けることができ、外扉２０の汎用性を高めることが可能となる。
【００２４】
また、パネル展示部４０用の開口部４０ａに着脱可能に設けられ、パネル３１を展示するための開口部４４ａ及び読み取り端末６０を取り付けるための開口部４４ｂを有する枠４４を備えたので、開口部４０ａにパネル３１を展示すると共に読み取り端末６０を取り付けることができ、開口部４０ａに読み取り端末６０を取り付けた状態でも広告の展示が可能となる。
【００２５】
また、パネル展示部用扉４２を、読み取り端末６０を背面側から覆う形状に形成したので、読み取り端末６０をパネル展示部４０に取り付けるか否かに拘わらず同一のパネル展示部用扉４２を利用することができ、パネル展示部用扉４２の汎用性を高めることが可能となる。
【００２６】
また、パネル展示部用扉４２を、外扉２０に対して着脱自在に設けられた第１の扉４２ａと、読み取り端末６０の背面側を開閉する第２の扉４２ｂとから構成したので、第２の扉４２ｂのみを開放することにより読み取り端末６０の修理及び点検等の作業を行うことができ、読み取り端末６０の修理及び点検等の作業を容易に行うことが可能となる。
【００２７】
また、保護扉５０を回転自在に支持する支軸５１によって第２の扉４２ｂを回転自在に支持したので、一部材の支軸５１によって保護扉５０及び第２の扉４２ｂを回転自在に支持することができ、製造コストの低減を図ることが可能となる。
【図面の簡単な説明】
【００２８】
【図１】本発明の一実施形態を示す自動販売機の全体斜視図
【図２】外扉を開放した状態を示す自動販売機の全体斜視図
【図３】パネル展示部を示す外扉の要部側面断面図
【図４】外扉の平面断面図
【図５】読み取り端末を取り付けた状態を示す外扉の平面断面図
【符号の説明】
【００２９】
１０…自動販売機本体、２０…外扉、３０…パネル、３１…パネル、４０…パネル展示部、４０ａ…開口部、４２…パネル展示用扉、４２ａ…第１の扉、４２ｂ…第２の扉、４４…枠、４４ａ…開口部、４４ｂ…開口部、５０…保護扉、５１…支軸、６０…読み取り端末。
【図１】
2008310494.tif 000003
【図２】
2008310494.tif 000004
【図３】
2008310494.tif 000005
【図４】
2008310494.tif 000006
【図５】
2008310494.tif 000007